(57)【要約】  システムには、電池式駆動機構と、電池式駆動機構により駆動される回転噴霧器と、回転噴霧器に液体を供給するように構成されたシリンジと、を備える携帯型スプレー装置が含まれていてよく、ここで回転噴霧器は、液体を噴霧化するために回転するように構成されている。システムには、スプレーヘッドに流体結合された第１のシリンジを伴うバレル部分と、ブレークアクション機構を介してバレル部分に結合されたハンドル部分とを有する携帯型スプレー装置が含まれていてよい。ハンドル部分は、第１のシリンジ内で第１のプランジャを駆動するように構成されたアクチュエータアセンブリを含んでいてよい。
2015513467.tif 000002
【特許請求の範囲】
【請求項１】
携帯型スプレー装置を含むシステムであって、
前記携帯型スプレー装置が、
電池式駆動機構と、
電池式駆動機構により駆動される回転噴霧器と、
回転噴霧器に液体を供給するように構成されたシリンジと、を備え、
前記回転噴霧器が液体を噴霧化するために回転するように構成されているシステム。
【請求項２】
回転噴霧器がベルカップを含む請求項１に記載のシステム。
【請求項３】
回転噴霧器がベルカップに結合された複数のプロペラを含む請求項２に記載のシステム。
【請求項４】
携帯型スプレー装置が加圧ガス流無しで液体を噴霧化するように構成されている請求項１に記載のシステム。
【請求項５】
携帯型スプレー装置が手持ち式スプレー装置である請求項１に記載のシステム。
【請求項６】
携帯型スプレー装置が回転噴霧器を中心にして延在する調整可能なガードを含む請求項１に記載のシステム。
【請求項７】
調整可能なガードが回転噴霧器の回転軸を中心にして円周方向に部分的に延在する請求項６に記載のシステム。
【請求項８】
調整可能なガードが携帯型スプレー装置から離れる方向にスプレーを誘導するように構成されている請求項６に記載のシステム。
【請求項９】
前記方向が回転噴霧器の回転軸に対する半径方向である請求項８に記載のシステム。
【請求項１０】
電池式駆動機構が電池式電動モーターを含む請求項１に記載のシステム。
【請求項１１】
携帯型スプレー装置を含むシステムであって、
前記携帯型スプレー装置が、
スプレーヘッドに流体結合された第１のシリンジを有するバレル部分と、
ブレークアクション機構を介してバレル部分に結合されたハンドル部分であって、第１のシリンジ内で第１のプランジャを駆動するように構成されたアクチュエータアセンブリを含むハンドル部分と、
を備える携帯型スプレー装置を含むシステム。
【請求項１２】
バレル部分がスプレーヘッドに流体結合された第２のシリンジを含み、アクチュエータアセンブリが第２のシリンジ内で第２のプランジャを駆動するように構成されている請求項１１に記載のシステム。
【請求項１３】
第１のシリンジがスプレーヘッド内の第１のオリフィスに流体結合され、第２のシリンジがスプレーヘッド内の第２のオリフィスに流体結合されている請求項１２に記載のシステム。
【請求項１４】
第２のシリンジがスプレーヘッド内の第３のオリフィスに流体結合されている請求項１３に記載のシステム。
【請求項１５】
第２および第３のオリフィスが第１のオリフィスを中心にして配置されている請求項１４に記載のシステム。
【請求項１６】
ブレークアクション機構がヒンジを含む請求項１１に記載のシステム。
【請求項１７】
アクチュエータアセンブリがトリガーアセンブリ１８２に結合されたラチェット機構を含む請求項１１に記載のシステム。
【発明の詳細な説明】
【技術分野】
【０００１】
本発明は一般に、コーティング流体（例えば塗料）などの物質をスプレーするためのシステムおよび方法に関する。
（関連出願の相互参照）
本出願は、全体が参照により本明細書に援用されている２０１２年３月７日出願の「コードレススプレー装置」という名称の米国仮特許出願第６１／６０８，０１０号（ＵＳ  Ｐｒｏｖｉｓｉｏｎａｌ  Ｐａｔｅｎｔ  Ａｐｐｌｉｃｏｔｉｏｎ  Ｎｏ．６１／６０８，０１０）に対する優先権およびその恩典を請求し、かつ、全体が参照により本明細書に援用されている２０１３年３月６日出願の「コードレススプレー装置」という名称の米国非仮特許出願第１３／７８７，６５８号（ＵＳ  Ｎｏｎ−Ｐｒｏｖｉｓｉｏｎａｌ  Ｐａｔｅｎｔ  Ａｐｐｌｉｃａｔｉｏｎ  Ｎｏ．１３／７８７，６５８）に対する優先権およびその恩典を請求するものである。
【背景技術】
【０００２】
標的物体にスプレーを施すためには、さまざまなスプレー装置を使用してよい。例えばスプレー装置は多くの場合、加圧空気などの気体を使用して液体（例えば塗料）を噴霧化してスプレーを生成し、このスプレーは次に標的物体に向かって誘導されてコーティングを作り出す。残念なことに、これらのスプレー装置は、コンプレッサや圧縮ガスタンクなどの加圧空気供給源を必要とする。さらなる例では、スプレー装置は多くの場合、空気供給導管、液体供給導管（例えば塗料導管）、電気コードなどの、外部機器との１つ以上の接続を必要とする。残念なことに、これらの接続は、スプレー装置の携帯性および使いやすさを制限する。したがって、改良型スプレー装置に対するニーズが存在する。
【発明の概要】
【課題を解決するための手段】
【０００３】
一部の実施形態において、システムは、電池式駆動機構と、電池式駆動機構により駆動される回転噴霧器と、回転噴霧器に液体を供給するように構成されたシリンジと、を有する携帯型スプレー装置を含んでいてよく、ここで回転噴霧器は、スプレー内に液体を噴霧化するために回転するように構成されている。
【０００４】
一部の実施形態において、携帯型スプレー装置は、スプレーヘッドに流体結合された第１のシリンジを有するバレル部分と、ブレークアクション機構を介してバレル部分に結合されたハンドル部分を含んでいてよい。ハンドル部分は、第１のシリンジ内で第１のプランジャを駆動するように構成されたアクチュエータアセンブリを含んでいてよい。
【０００５】
本発明のこれらのおよび他の特徴、態様および利点は、図面全体を通して同じ番号が同じ部品を表している添付図面を参照しながら、以下の詳細な説明を読むことによってより良く理解することができる。
【図面の簡単な説明】
【０００６】
【図１】電池式駆動機構により駆動される回転噴霧器に対し物質を供給するためのシリンジを有するコードレススプレー装置の一実施形態の側面斜視図である。
【図２】図１のコードレススプレー装置の一実施形態の上面斜視図である。
【図３】図１のコードレススプレー装置の一実施形態の底面斜視図である。
【図４】回転噴霧器の一実施形態を示す、図１のコードレススプレー装置の一実施形態の部分斜視図である。
【図５】ベルカップから突出する複数のプロペラを示す、図１〜４の回転噴霧器の一実施形態の概略的側面図である。
【図６】図５の回転噴霧器の一実施形態の概略的端面図である。
【図７】調整可能なスプレーガードを有するコードレススプレー装置の一実施形態の側面斜視図である。
【図８】回転噴霧器のベルカップを中心にして部分的に延在する調整可能なスプレーガードを示す、図７のコードレススプレー装置の一実施形態の概略的端面図である。
【図９】電池式駆動機構により駆動される回転噴霧器に対して物質を供給するための第１および第２のシリンジを有するコードレススプレー装置の一実施形態の側面斜視図である。
【図１０】回転噴霧器のプロペラをさらに示す、図９のコードレススプレー装置の一実施形態の側面斜視図である。
【図１１】図９および図１０の回転噴霧器のプロペラの一実施形態の斜視図である。
【図１２】複数の相対するオリフィス（キャットアイ形オリフィスなど）を有するスプレーヘッドに対して物質を供給するための第１および第２のシリンジを有するコードレススプレー装置の一実施形態の側面斜視図である。
【図１３】ラチェット機構に結合されたトリガーアセンブリを有するアクチュエータアセンブリを示す、図１２のコードレススプレー装置の一実施形態の底面斜視図である。
【図１４】スリーブを通ってスプレーヘッドまで延在する複数の管を示す、図１２のコードレススプレー装置の一実施形態の部分的側面斜視図である。
【図１５】複数の相対するオリフィス（例えば中央オリフィスを中心にして配置された２つの横長形状のオリフィス）を示す、図１２のコードレススプレー装置の一実施形態の前面斜視図である。
【図１６】ダブルバレルアプリケータアセンブリを有するブレークアクションを示す、図１２のコードレススプレー装置の一実施形態の部分的斜視図である。
【図１７】図１６のダブルバレルアプリケータアセンブリの一実施形態の部分的斜視図である。
【発明を実施するための形態】
【０００７】
図１は、電池式駆動機構１６により駆動される回転噴霧器１４に対して物質を供給するためのシリンジ１２を有するコードレススプレー装置１０の一実施形態の側面斜視図である。図示されている通り、シリンジ１２は、回転噴霧器１４に対して適用された液体の量を示すためのマーキング１８を備えたプラスチックシリンジであってよい。さらに、シリンジ１２は、ストラップ、クランプ、ネジ、ボルト、スナップ嵌めカップリングまたは他の締結具などのさまざまな取付け機構２０を介して電池式駆動機構１６に取外し可能な形で取付けられてよい。例えば、取付け機構２０は、電池式駆動機構１６上へのシリンジ１２の挟持のきつさ程度を調整するための複数の位置を有する金属またはプラスチックストラップなどの調整可能なストラップであってよい。シリンジ１２は同様に、再使用可能シリンジ、使い捨てシリンジ、リサイクル可能シリンジ、充填済みシリンジ（例えば塗料または他のコーティング液体が予め充填されたもの）、ユーザー充填可能シリンジまたはその任意の組合せであってもよい。
【０００８】
充分理解できるように、電池式駆動機構１６は、電池２６に結合された内部装置２４（例えば電動モーター）を支持する本体またはケーシング２２を含む。他の実施形態において、電池２６は、例えば１つ以上のコンデンサなど、ケーシング２２内に格納される別の電源で置換または補完されてよい。さらに、電池式駆動機構１６は、充電式ユニットであってよく、こうしてドッキングステーション接続などの再充電接続２８を含んでいてよい。
【０００９】
以下でさらに詳述する通り、回転噴霧器１４は、矢印３２により表わされている通り、回転軸３０を中心にして回転するように内部駆動機構２４により駆動されてよい。回転噴霧器１４が回転するにつれて、シリンジ１２からの液体は噴霧器１４に補給され得、こうして噴霧器１４は液体を旋回させてスプレー内への液体の噴霧化をひき起こす。例えば、回転噴霧器１４は、軸３０を中心にして旋回して液体の回転噴霧化をひき起こすベルカップ３４を含んでいてよい。一部の実施形態において、回転噴霧器１４は、液体の回転噴霧化を補助するための複数のプロペラおよび／またはコードレススプレー装置１０から離れるようにスプレーの誘導を補助するための調整可能なガードを含んでいてよい。
【００１０】
図２は、図１のコードレススプレー装置１０の一実施形態の上面斜視図である。図示されている通り、回転噴霧器１４のベルカップ３４は、コードレススプレー装置１０の回転軸３０から離れるように漸進的に発散する全体に環状の内部表面４０を有する。例えば、環状内部表面４０には、円錐形表面、放物線表面、円筒形表面またはこれらの表面幾何形状のうちの１つ以上の任意の組合せが含まれ得る。さらに、表面４０は、平滑な表面、テクスチュア形成表面、リブのある表面、あるいはそれらの任意の組合せであってよい。
【００１１】
図３は、図１のコードレススプレー装置１０の一実施形態の底面斜視図である。図示されている通り、シリンジ１２は、取付け機構２０を介して、電池式駆動機構１６に結合されている。図示された取付け機構２０は、シリンジ１２およびその第１の端部５０にあるケーシングの両方のまわりに延在し、一方、シリンジ１２の反対側の第２の端部５２は回転噴霧器１４まで延在する管類５４によって支持されている。取付け機構２０は、単一のストラップ、例えばプラスチックまたは金属バンドとし図示されている。他の実施形態では、シリンジ１２は、他の締結具または取付け具により支持されていてよい。
【００１２】
図４は、回転噴霧器１４の一実施形態を示す、図１のコードレススプレー装置１０の一実施形態の部分的斜視図である。図示されている通り、管類５４はベルカップ３４の第１の端部６０まで延在し、こうしてシリンジ１２は、表面４０に沿った回転噴霧化のため液体をベルカップ３４内に誘導することができる（図２）。ベルカップ３４は、電池式駆動機構１６の駆動機構２４に結合されたシャフト６２により回転または旋回するように駆動される。ベルカップ３４が回転するにつれて、管類５４から供給された液体は、ベルカップ３４の第２の端部から液体が退出するまで、回転表面４０に沿って強制的に流動させられる。この時点で、液体はスプレーとして噴霧化された状態になる。
【００１３】
図５は、ベルカップ３４から突出する複数のプロペラ７０を示す、図１〜４の回転噴霧器１４の一実施形態の概略的側面図である。充分に理解できるように、プロペラ７０は、標的物体に向かってスプレーを誘導する補助をしてよい。例えば、プロペラ７０は、スプレーをコードレススプレー装置１０から離れて標的物体に向かって誘導して装置１０上への跳ねを低減させかつ標的物体への移送効率を改善させるための空気流を生成してよい。しかしながら、一部の実施形態において、プロペラ７０は液体の噴霧化に対しいかなる影響も及ぼさない。換言すると、プロペラ７０は、すでに噴霧化された液体スプレーを単に誘導するために使用されてよい。
【００１４】
図６は、ベルカップ３４のまわりに等間隔に置かれた４枚のプロペラ７０のセットを示す、図５の回転噴霧器１４の実施形態の概略的端面図である。図示された実施形態には、４枚のプロペラ７０が含まれるが、他の実施形態では、任意の数（例えば１、２、３、４、５、６、７、８、９及び１０枚以上）のプロペラが任意の好適な配置で含まれていてよい。
【００１５】
図７は、調整可能なスプレーガード８０を有するコードレススプレー装置の一実施形態の側面斜視図である。図示されている通り、調整可能なスプレーガード８０は回転噴霧器１４を取り囲み、装置１０上のスプレーの跳ねを阻止しかつスプレーを標的物体に向かって誘導する補助をするように構成されている。スプレーガード８０は、装置の回転軸３０との関係において軸方向８２、半径方向８４および／または円周方向８６に調整可能であってよい。したがって、スプレーガード８０は、液体のタイプ、回転速度、環境条件（例えば風）などのさまざまなパラメータに基づいて調整可能であってよい。
【００１６】
図８は、回転噴霧器１４のベルカップ３４を中心として部分的に延在する調整可能なスプレーガード８０を示す図７のコードレススプレー装置の一実施形態の概略的端面図である。図示されている通り、スプレーガード８０は、ベルカップ３４を中心として円周方向におよそ１８０度延在し、こうしてスプレーガード８０はおよそ１８０度の開口部９０を残すようになっている。このようにして、スプレーガード８０は、開口部９０を通ってスプレー９２をコードレススプレー装置１０から離れるように導くのを助ける。図示された実施形態において、開口部９０は、半径方向８４に配向され、こうしてガード８０はスプレー９２を半径方向８４に流れるように誘導する。他の実施形態において、ガード８０は、スプレー９２を他の方向に誘導してもよい。さらに、ガード８０は、ベルカップ３４を中心にして任意の円周方向距離だけ、例えば９０〜２７０度、１５０〜２１０度またはおよそ１８０度延在してよい。
【００１７】
図９は、電池式駆動機構１０８により駆動される回転噴霧器１０６に対して物質を供給するための第１および第２のシリンジ１０２および１０４を有するコードレススプレー装置１００の一実施形態の側面斜視図である。図示されている通り、各々のシリンジ１０２および１０４は、回転噴霧器１０６に対して適用された液体の量を示すためのマーキングを備えたプラスチックシリンジであってよい。さらに、各シリンジ１０２および１０４は、ストラップ、クランプ、ネジ、ボルト、スナップ嵌めカップリングまたは他の締結具などのさまざまな取付け機構１１０を介して電池式駆動機構１０８に取外し可能な形で取付けられてよい。例えば、取付け機構１１０は、電池式駆動機構１０８上へのシリンジ１０２および１０４の挟持きつさを調整するための複数の位置を有する金属またはプラスチックストラップなどの調整可能なストラップであってよい。各シリンジ１０２および１０４は同様に、再使用可能シリンジ、使い捨てシリンジ、リサイクル可能シリンジ、充填済みシリンジ（例えば塗料または他のコーティング液体が予め充填されたもの）、ユーザー充填可能シリンジまたはその任意の組合せであってもよい。
【００１８】
充分理解できるように、電池式駆動機構１０８は、電池１１６に結合された内部装置１１４（例えば電動モーター）を支持する本体またはケーシング１１２を含む。他の実施形態において、電池１１６は、例えば１つ以上のコンデンサなど、ケーシング１１２内に格納される別の電源で置換または補完されてよい。さらに、電池式駆動機構１０８は、充電式ユニットであってよく、こうしてドッキングステーション接続１１８などの再充電接続を含んでいてよい。
【００１９】
以下でさらに詳述する通り、回転噴霧器１０６は、矢印１２２により表わされている通り、回転軸１２０を中心にして回転するように内部駆動機構１１４により駆動されてよい。回転噴霧器１０６が回転するにつれて、シリンジ１０２および／または１０４からの液体は噴霧器１０６に補給され得、こうして噴霧器１０６は液体を旋回させてスプレー内への液体の噴霧化をひき起こす。例えば、回転噴霧器１０６は、中央ハブ１２６、外側リングまたはシュラウド１２８を有するプロペラ１２４と、中央ハブ１２６と外側シュラウド１２８の間に延在する複数の羽根１３０を含んでいてよい。作動中、内部駆動機構１１４は、プロペラ１２４を軸３０を中心にして強制的に回転させて、中央ハブ１２６と外側シュラウド１２８の間の羽根１３０の中へと移行する液体の回転噴霧化をひき起こす。
【００２０】
図１０は、回転噴霧器１０６のプロペラ１２４をさらに示す、図９のコードレススプレー装置１００の一実施形態の側面斜視図である。図示されている通り、シリンジ１０２および／または１０４は、流体導管１３４、１３６および１３８などの１つ以上の流体導管１３２を通してプロペラ１２４に液体を補給するように構成されていてよい。例えば、シリンジ１０２は流体導管１３４に結合し、シリンジ１０４は流体導管１３６に結合し、流体導管１３４および１３６は両方共、流体導管１３８に結合（またはこの導管内に収束）する。同じく流体導管１３８は、プロペラに極く近接した位置までさらに下流側に延在し、こうして、流体導管１３８がプロペラ１２４の中に直接液体流を注入して、液体が回転羽根１３０に衝突した時点で噴霧化を促進できるようになっている。
【００２１】
図示された実施形態において、中央ハブ１２６と外側シュラウド１２８は一般に互いに同軸または同心であり、各々は概して環状の形状を有する。例えば、中央ハブ１２６は環状の外部１４０を有していてよく、一方外側シュラウド１２８は環状の内部１４２を有する。環状外部１４０と環状内部１４２は、円筒形状、円錐形状、湾曲した環状形状（例えば放物線形状）またはそれらの任意の組合せであってよい。さらに、環状外部１４０および環状内部１４２は一般に、軸１２０に沿って下流側の軸方向で互いに対し平行であるか、収束または発散していてよい。環状外部１４０および環状内部１４２は同様に平滑な表面、テクスチュア形成表面、リブのある表面またはそれらの任意の組合せであってもよい。
【００２２】
中央ハブ１２６と外部シュラウド１２８の間の羽根１３０は同様に、さまざまな構成を有していてもよい。例えば羽根１３０は、翼型の幾何形状、矩形の幾何形状、または他の任意の好適な形状を有していてよい。さらに、プロペラ１２４は、任意の数の羽根１３０、例えば２〜２０枚の羽根（例えば３、４、５、６、７、８、９および１０枚以上の羽根）を有していてよい。各羽根１３０の角度またはピッチも同様に、軸１２０との関係において１０〜８０度、２０〜７０度、３０〜６０度または４０〜５０度の間で変動してよい。図示された実施形態において、羽根１３０は、中央ハブ１２６および外側シュラウド１３０と一体化しており、こうして、プラスチックまたは複合材料などの軽量材料で作製できるワンピースプロペラ１２４を画定する。
【００２３】
図１１は、図９および１０の回転噴霧器１０６のプロペラ１２４の一実施形態の斜視図である。図１１にさらに図示されている通り、環状外部１４０および環状内部１４２は、概して互いに同軸または同心である円筒形表面である。さらに、プロペラ１２４の図示された実施形態は、中央ハブ１２６と外側シュラウド１２８の間で等間隔に置かれた４枚の羽根のセット１３０を有する。各々の羽根１３０は、軸１２０に対する角度１５０、羽根１３０の上流側端部の前縁１５２、羽根１３２の下流側端部の後縁１５４、および前縁１５２と後縁１５４の間のプロファイル１５６を有する。一部の実施形態において、各羽根のプロファイル１５６は、線形部分、非線形部分（例えば湾曲部分）またはその任意の組合せを含んでいてよい。したがって、各羽根１３０の角度１５０は、前縁１５２と後縁１５４の間で一定であっても可変的であってもよく、こうして、流体導管１３８からの液体の噴霧化効率の制御を補助する。各羽根１３０の設計は同様に、プロペラ１２４の下流側でのスプレーの分布を変動させる可能性がある。
【００２４】
図１２は、複数の相対するオリフィス１６８（例えばキャットアイ形状のオリフィス）を有するスプレーヘッド１６６に対して物質を供給するための第１および第２のシリンジ１６２および１６４を有するコードレススプレー装置１６０の一実施形態の側面斜視図である。図示されている通り、スプレー装置１６０は、シリンジ１６２および１６４内への液体および／またはカートリッジの着脱を可能にするためバレル部分１７０がハンドル部分１７２から離れるようにヒンジ式に回転できるようにするブレークアクション機構１７４においてハンドル部分１７２に結合されたバレル部分１７０を含んでいる。バレル部分１７０は、第１および第２のシリンジ１６２および１６４、スプレーヘッド１６６、ならびにシリンジ１６２および１６４とスプレーヘッド１６６との間の流体供給区分１７６を含む。ハンドル部分１７２は、ハンドル１７８と、ラチェット機構１８４に結合されたトリガーアセンブリ１８２を含むアクチュエータアセンブリ１８０とを含む。
【００２５】
図１３は、ラチェット機構１８４に結合されたトリガーアセンブリ１８２を有するアクチュエータアセンブリ１８０を示す図１２のコードレススプレー装置の一実施形態の底面斜視図である。図１３にさらに図示されている通り、ラチェット機構１８４は、ラチェットキャッチ１９４と選択的にスナップ嵌めする一連のリッジ１９２を有するラチェットトラック１９０を含む。例えば、オペレータがトリガーアセンブリ１８２を引張るにつれて、アクチュエータアセンブリ１８０は、（シリンジ１６２および１６４内で第１および第２のプランジャを駆動することにより）シリンジ１６２および１６４を通して流体を駆動するように構成されており、一方ラチェットキャッチ１９２は一連のリッジ１９２上を移動する。トリガーアセンブリ１８２の解放時点で、ラチェットキャッチ１９２は一連のリッジ１９２に沿った所定の位置にとどまり、こうして、シリンジ１６２および１６４内にプランジャをさらに駆動するためにオペレータが再びトリガーアセンブリ１８２を引張るまで、プランジャをその位置に保持する。したがってオペレータは、反復的にトリガーアセンブリ１８２を引張ったり解放したりして、プランジャをシリンジ１６２および１６４内に漸進的に駆動し、こうして液体をシリンジ１６２および１６４外へスプレーヘッドまで駆動することができる。このとき、液体は、スプレーヘッド１６６内の相対する複数のオリフィス１６８を通って退出するにつれて噴霧化される。オペレータはシリンジ１６２および１６４内の圧力を解放し、キャッチ１９２自体などの解放装置を押圧することにより、ラチェット機構１８４を後退させることができる。
【００２６】
図１４は、スリーブ２０２を通ってスプレーヘッド１６６まで延在する複数の管２００を伴う流体供給区分１７６を示す、図１２のコードレススプレー装置１６０の一実施形態の部分的側面斜視図である。図示された実施形態において、管２００は、スプレーヘッド１６６内の複数の相対するオリフィス１６８まで導く第１の管２０４、第２の管２０６および第３の管２０８を含んでいる。管２００は、ゴムまたはプラスチックの管類などの可撓性管であってよい。さらに、スリーブ２０２と管２００は、管２００を通りスプレーヘッド１６６までの液体の流れを容易に見ることができるように、半透明または透明であってよい。
【００２７】
図１５は、流体供給区分１７６内の複数の管２００に結合する複数の相対するオリフィス１６８を示す、図１２のコードレススプレー装置１６０の一実施形態の前面斜視図である。詳細には、オリフィス１６８は、中央オリフィス２１０、第１の側方オリフィス２１２、および第２の側方オリフィス２１４を含む。中央オリフィス２１０は、第１および第２の側方オリフィス２１２および２１４の間に挟まれている。さらに、第１および第２の側方オリフィス２１２および２１４は、中央オリフィス２１０から軸方向で下流側に延在するそれぞれの第１および第２の隆起した部分またはホーン２１６および２１８上に配置されている。図１４および１５を参照すると、第１、第２および第３の管２０４、２０６および２０８は、それぞれの中央オリフィス２１０、第１のオリフィス２１２および第２のオリフィス２１４に結合されている。したがって、スプレー装置１６０は、オリフィス２１０、２１２および２１４に対して等しいまたは異なる割合での同時補給を可能にし、こうして形成スプレーの噴霧化および形状を制御できるようにするかもしれない。例えば、第１のシリンジ１６２は、中央オリフィス２１０に対し流体結合されてよく、一方第２のシリンジ１６４は、第１および第２のオリフィス２１２および２１４に対し流体結合されてよい。こうして、第１のシリンジ１６２は、第１の流量で中央オリフィス２１０に第１の液体を供給してよく、一方第２のシリンジ１６４は、第２の流量で第１および第２のオリフィス２１２および２１４に第２の液体を供給してよい。一部の実施形態において、オリフィス２１０、２１２および２１４は、１つ以上の等しいまたは異なる特性、例えばオリフィスの形状および／またはサイズを有していてよい。例えば、オリフィス２１０、２１２、および２１４のうち１つ以上（例えば全て）が、丸形オリフィス、キャットアイ形オリフィス、矩形オリフィス、三角形オリフィス、楕円形オリフィスまたはその任意の組合せを有していてよい。
【００２８】
図１６は、ダブルバレルアプリケータアセンブリ２２０を有するブレークアクション機構１７４を示す、図１２のコードレススプレー装置１６０の一実施形態の部分的斜視図である。図示されている通り、ブレークアクション機構１７４は、バレル部分１７０とハンドル部分１７２の間にヒンジまたは回転可能な継手２２２を有し、こうして、開放位置で示されている通り、ハンドル部分１７２から離れるようにバレル部分１７０をヒンジ式に回転させることができる。ダブルバレルアプリケータアセンブリ２００は、第１のシリンジ１６２と心合せされた第１のプランジャ２２６および第２のシリンジ１６４と心合せされた第２のプランジャ２２８とを含む。作動中、プランジャ２２６および２２８は、シリンジ１６２および１６４に沿って駆動されて、液体をスプレーヘッド１６６までそしてオリフィス１６８を通して外へと強制的に流動させる。シリンジ１６２および１６４を充填した後、バレル部分１７０は、ハンドル部分１７２に向かって閉鎖位置までヒンジ式に回転してよく、次にロック機構２３０によりこの位置に固定される。図示された実施形態において、ロック機構２３０は第１および第２のロック部分２３２および２３４を含み、これらの部分は、共にラッチ掛けまたはスナップ嵌めしてバレル部分１７０をハンドル部分１７２との関係における閉鎖位置に保持する。
【００２９】
図１７は、図１６のダブルバレルアプリケータアセンブリ２２０の一実施形態の部分的斜視図である。さらに図示されている通り、プランジャ２２８はシリンジ１６４と心合せされ、一方プランジャ２２６はシリンジ１６４と心合せされている。さらにプランジャ２２６は少なくとも１つのＯリングまたはシール２４０を含み、一方プランジャ２２８も同様に少なくとも１つのＯリングまたはシール２４２を含んでいる。これらのシール２４０および２４０は、プランジャ２２６および２２８の１ストロークの間に各シリンジ１６２および１６４の容積を封止する一助となるように構成されており、こうしてシリンジ１６２および１６４内で効率良く圧力を構築し液体をスプレーヘッド１６６に移送するのを助ける。
【００３０】
本明細書では、本発明の一部の特徴のみを図示し説明してきたが、当業者であれば、多くの修正および変更を着想するであろう。したがって、添付のクレームは、本発明の真の精神の範囲内に入る全ての修正および変更を網羅するように意図されていることを理解すべきである。
【図１】
2015513467.tif 000003
【図２】
2015513467.tif 000004
【図３】
2015513467.tif 000005
【図４】
2015513467.tif 000006
【図５】
2015513467.tif 000007
【図６】
2015513467.tif 000008
【図７】
2015513467.tif 000009
【図８】
2015513467.tif 000010
【図９】
2015513467.tif 000011
【図１０】
2015513467.tif 000012
【図１１】
2015513467.tif 000013
【図１２】
2015513467.tif 000014
【図１３】
2015513467.tif 000015
【図１４】
2015513467.tif 000016
【図１５】
2015513467.tif 000017
【図１６】
2015513467.tif 000018
【図１７】
2015513467.tif 000019
【国際調査報告】
2015513467.tif 000020
2015513467.tif 000021
2015513467.tif 000022
2015513467.tif 000023